Podtech/llm-jp-corpus-v4-ja_patent huggingface dataset:
(57)【要約】【課題】ペットの散歩等に用いるグリップ付収納ケースを、リードの端部に設けて、収納ケースをリード側の片方の手で開閉しょうとするものである。【解決手段】側面視すれば、ペリカンのクチバシの如く、収納部６が手前側が落ち込んだような形状に形成されて、上部にフタ３を設け、その手前側のフタ３部分に手で握ることのできるグリップ２を設けて、さらに他方のフタ３の反対側先端部にリードを連結する連結具４をもうけて、グリップ２周辺部の収納部６に指先で引くことのできるレバー５を設けて、そのレバー５を指先で引き込めば、ペリカンのクチバシが開くように、手前側を中心として先端部が円弧を描くように、収納部６の一端を、フタ３のグリップ側に、連結軸８でそれらを連結するようにして設けて、収納部６の先端側より下方に下がって、収納部６が開いて行くようにした。【選択図】  図１
2004313155.tif 000002
【特許請求の範囲】
【請求項１】
ペット散歩時の糞や、その処理用具を収納するケースのフタに連結される手前側にグリップを設けて、他方の反対側先端部にリードを連結することができる連結具を設けたグリップ付収納ケース（１）であって、側面視すれば、ペリカンのクチバシの如く、収納部（６）が手前側が落ち込んだような形状に形成されて、上部にフタ（３）を設けて、その手前側のフタ（３）部分に手で握ることのできるグリップ（２）を設けて、さらに他方のフタ（３）の反対側先端部にリードを連結する連結具（４）をもうけて、グリップ（２）周辺部の収納部（６）に指先で引くことのできるレバー（５）を設けて、そのレバー（５）を指先で引き込めば、ペリカンのクチバシが開くように、手前側を中心として先端部が円弧を描くように、収納部（６）の一端と、グリップ（２）の周辺において、連結軸（８）でそれらを連結するようにして設けて、収納部の先端側より下方に下がって、収納部が開いて行くことを特徴としたペットの散歩等に用いるグリップ付収納ケース。
【請求項２】
収納部（６）が、その外部に小型スコップ等をセットできるように、  小型スコップが差し込める係合部を設けるように形成された請求項１記載のペットの散歩等に用いるグリップ付収納ケース。
【発明の詳細な説明】
【０００１】
【発明の属する技術分野】
この発明は、ペット等の散歩時に必要な、糞の処理具や、糞の収納にかんするものである。
【０００２】
【従来の技術】
従来より、犬等のペットの散歩に出かける祭のスタイルとして、片手にリード、反対の手に糞処理具及びその収納袋を、というのが一般的に多く見受けられる。その他、リードに収納箱を吊り下げるように設けるもの、また糞が地面に落下前にペットのオシリに用具を充てがい受け取るように収納するもの、さらにはつかみ取るように処理する収納用具のように様々なものが見受けられるが、問題点として、リードに収納箱を吊り下げるように設けたものにおいては、リードがたるんだ状態だと、フタを開けるのにリードを持った手で収納箱を、押さえるようにして、もう片方の手で開けなくてはならない。普通、犬等はリードを引けば寄って来るので、処理の時にリードを張った状態を保のは困難で、さらに雨降りのときに多くは傘を使用するが、この場合さらに困難である。
また、挟み取るものや、受け取るように収納する用具においても、受け取り損ねたり、地面が凸凹していたり草地である場合は、やはりスコップや火バサミのように挟み取るようなものが別に必要である。
【０００３】
しかし、日常においての簡単なペットの散歩に、それら別々の物を携帯して行くのも通常行なわない。
【０００４】
【発明が解決しょうとする課題】
そこで、リードたるみに関係なくリードを持つた側の片手で、収納部のフタを開閉して、糞や、その処理具を収納できるものとして、さらに様々な状況に対処できるように、掬い取る機能と挟み取る機能とを有したものを、一つにして、リードが連結できるグリップ付の収納ケースに、設けようとするものである。
【０００５】
【課題を解決するための手段】
側面視すれば、ペリカンのクチバシの如く、収納部が手前側が落ち込んだような形状に形成されて、上部にフタを設け、その手前側のフタ部分に手で握ることのできるグリップを設けて、さらに他方のフタの反対側先端部にリードを連結する連結具をもうけて、グリップ周辺部の収納部に指先で引くことのできるレバーを設けて、そのレバーを指先で引き込めば、ペリカンのクチバシが開くように、手前側を中心として先端部が円弧を描くように、収納部の一端と、グリップの周辺において、連結軸でそれらを連結するようにして設けて、収納部の先端側より下方に下がって、収納部が開いて行くようにした。
また、収納部に、その外部に小型スコップ等をセットできるように、小型スコップが差し込める係合部を設けるように形成された小型スコップの収納ケースを設けてもよい。
【０００６】
【発明の実施の形態】
発明の実施の形態を実施例に基づき図１を参照して説明する。
側面視すれば、ペリカンのクチバシの如く、箱状の収納部６が手前側が落ち込んだような形状に形成されて、上部にフタ３を設け、その手前側のフタ３部分に手で握ることのできるグリップ２を設けて、さらに他方のフタ３の反対側先端部にリードを連結する連結具４をもうけて、グリップ２周辺部の収納部６に指先で引くことのできるレバー５を設けて、そのレバー５を指先で引き込めば、ペリカンのクチバシが開くように、手前側を中心として先端部が円弧を描くように、収納部６の一端を、フタ３のグリップ側に、連結軸８でそれらを連結するようにして設けて、収納部６の先端側より下方に下がって、収納部６が開いて行くようにした。材質は、連結具は金属、その他は樹脂にて整形した。
【０００７】
また、収納部に、その外部に小型スコップ等をセットできるように、小型スコップが差し込めるようにポケット状の係合部を、フタや収納部のどちらかに、または収納部の内部を仕切るようにして、小型スコップを設けることも容易に考えられ、そのようにすることもできる。
【０００８】
【発明の効果】
以上説明したように、グリップ〜フタ、フタ〜リード連結具までが一体化して構成されていて、従来品のように両手を用いずとも、片手で開閉が可能であり、さらに収納部が、下方に開くようにと、材質においてもプラスチック樹脂で形成されているために、開閉機構が非常にシンプルで、しかも軽量に出来上がり、故障も少なく、安価に提供できる。
【０００９】
また、収納部がペリカンのクチバシ状に形成されているために、糞等を落とし込めば滑るように、収納部の手前側にくるように形成されているので、散歩時の手にかかる荷重も少なく、さらに、そのぶん開閉に用いるバネも小さいものでよく。そのことが、レバーを引く指先の負担を軽減している。
【００１０】
【図面の簡単な説明】
【図１】本発明の実施例の側面図である。
【図２】本発明の実施例の正面図である。
【符号の説明】
１．グリップ付収納ケース  ２．グリップ  ３．フタ  ４．リードの連結具
５．レバー  ６．収納部  ７．開閉に用いるバネ  ８．連結軸  ９．バネ止め
【図１】
2004313155.tif 000003
【図２】
2004313155.tif 000004
(57)【要約】      （修正有）【課題】魚釣りにおいて、下部に錘を設けた浮きでは、水面に投入したとき波により浮きがフラツキ、安定が悪いという問題があり、下部と上部に錘を設けたフラツキの少ない浮きを提供する。【解決手段】図１浮力体１下部に錘４を取り付け上部中心を中心とする同心円線上に略等間隔に陥没孔を堀設し、上部錘５を埋設する。下部と上部に錘を設けたことにより、フラツキが少なくなる。【選択図】    図１
2004313160.tif 000002
【特許請求の範囲】
【請求項１】
浮力体の下部と上部に錘を設けたことを特徴とする魚釣り用浮き。
【発明の詳細な説明】
【０００１】
【発明の属する技術分野】
魚釣りに用いる一般に円錐浮き、ドングリ浮きと称する浮きの、フラツキを防止するため下部と上部に錘を設けた魚釣り用浮きに関するものである。
【０００２】
【従来の技術】
従来の浮きは円錐浮き、ドングリ浮きなどがあり、それぞれに中通し型、環付き型があり浮力体の下部に錘を設け、錘を下に起立し水面上に浮力体の一部を出し、浮いていて錘による重心を出来るだけ低くして安定を図っている。従来フラツキを防止する方法としては（実開平０６−６０３７５号）の発明では、浮力体下部と浮力体略中心部に錘を設け錘を浮力体中心部に近づけているため浮きがふらつき安定性が悪いという欠点があり
（特開平１０−４２７６２号）の発明では、浮力体下部と外周部に錘を設ける方法では浮き上部の浮力が強いため水面下では垂直に戻ろうとする復元力が強く働き浮きがフラツキ安定しないという欠点があった。
【０００３】
【発明が解決しようとする課題】
浮きを水面上に投じた時、重心が下部にあり、上部は軽い浮力体のため風、流れによる波の影響で浮きが傾倒すると該浮きの垂直に戻ろうとする復元力が働き浮きがフラツキを燥り返し安定しない、また魚が餌をくわえたとき前記浮きのフラツキによる振動が餌にまで伝わり魚がくわえた餌をはなす。
【０００４】
例えば流れのある水域で魚が食い渋る状況の時、魚は流れに逆らって泳いでいるが陸上にいる釣り人から見れば魚は止まって見える、魚が針に付けた餌の端をくわえると流れに乗った浮きは移動し浮きと針までの釣り糸が張り、魚と流れる水の抵抗により浮きは釣り糸の角度θに沿う様に傾き倒れる、傾き倒れると浮きが持つ垂直に戻ろうとする復元力が働き起立する、又傾き倒れる、を繰り返す浮きのフラツキが振動となって魚に伝わり魚がくわえた餌をはなす。この様な状況下において本発明は浮きのフラツキを防止することを目的としている。
【０００５】
【課題を解決するための手段】
本発明は魚釣りに用いる一般に円錐浮き、ドングリ浮きと称する釣り用浮きの下部と上部に錘を設ける。
【０００６】
【発明の実施の形態】
従来には、下部と略中心部に錘を内臓した魚釣り用浮きはあったが、これを単に利用しただけのものでなく、浮力体の下部及び上部に錘を設けた本発明とでは、その作用、効果に大きな違いがある。
【０００７】
【実施例】
本発明の実施例について図面に基づき説明する
【０００８】
図１は、本発明に係る魚釣り用浮きの実施例を示す縦断面図であり、中通し浮きの実施例をを示している。
【０００９】
図１（ａ）の中通し浮きは浮力体１の縦中心軸線上に貫通孔２を設け、その貫通孔２の下部を拡径している。そして貫通孔２にはその上端から下端まで釣り糸挿通管３を挿入し釣り糸挿通管３の周壁を拡径した部分をのぞいた貫通孔２の内壁に接着固定している。
【００１０】
浮力体１の貫通孔２に釣り糸挿通管３を固定することにより浮力体１の貫通孔２の拡径部分において釣り糸挿通管３の周囲に空隙が形成されその空隙に筒状の下部錘を挿入し浮力体１の前記拡径部分の内壁に筒状の下部錘４を接着固定している。
【００１１】
浮力体１の周壁上部の縦中心軸を中心とする同心円線上に少なくとも２カ所以上（図１（ａ）と図３では４カ所）に略等間隔でそれぞれに陥没孔を堀設し上部錘５を埋設している。
【００１２】
図１（ｂ）の中通し浮きは浮力体１の縦中心軸線上に貫通孔２を設け、その貫通孔２の上部と下部を拡径している。そして貫通孔２にはその上端から下端まで釣り糸挿通管３を挿入し釣り糸挿通管３の周壁を拡径した部分をのぞいた貫通孔２の内壁に接着固定している。
【００１３】
浮力体１の貫通孔２に釣り糸挿通管３を固定することにより浮力体１の貫通孔２の下部拡径部分において釣り糸挿通管３の周囲に空隙が形成され、その空隙に筒状の下部錘４を挿入し浮力体１の前記下部拡径部分の内壁に筒状の下部錘４を接着固定している。
【００１４】
浮力体１の上部拡径部分において釣り糸挿通管３の周囲に形成された空隙には、筒状の上部錘５を埋設している。
【００１５】
図２は、本発明に係る魚釣り用浮きの実施例を示す縦断面図であり、環付き浮きの実施例を示している。
【００１６】
図２（ａ）の環付き浮きは浮力体１縦中心軸線上の下部に、内部に向けて陥没孔を堀設し下部錘４を挿入し陥没孔内壁に接着固定している。前記下部錘の下部には釣り糸挿通環６が取り付けられている。
【００１７】
浮力体１の周壁上部の縦中心軸を中心とする同心円線上に２カ所以上（図２（ａ）と図５では４カ所）に略等間隔でそれぞれに陥没孔を堀設し上部錘５を埋設している。
【００１８】
図２（ｂ）の環付き浮きは浮力体１縦中心軸線上の上部及び下部に、内部に向けてそれぞれに陥没孔を堀設し下部陥没孔には下部錘４を挿入し陥没孔内壁に接着固定している。
前記下部錘の下部には釣り糸挿通環６が取り付けられている。
【００１９】
浮力体１の上部陥没孔には上部錘５を埋設している。
【００２０】
浮力体１は木材又はプラスチックで出来ており下部錘４は一般的な浮きに使用される鉛、銅、真鍮、タングステンなどで出来ており、上部錘５は浮力体より比重が大きくて腐食しにくいものが望ましく塊体、粒体、粉体を問わない。
【００２１】
また上部錘５の重さは浮きが傾倒しないことを前提に、浮力体の大きさ、形、錘負荷により適宜決められる。
【００２２】
【発明の効果】
釣り用浮きの下部と上部に錘を設けることにより、水面及び水中でのフラツキが減少し、浮きの姿勢が安定する。
【図面の簡単な説明】
【図１】（ａ）、（ｂ）は、本発明に係るバランス錘を設けた釣り用浮きの中通し浮きの実施例を示す縦断面図である。
【図２】（ａ）、（ｂ）は、本発明に係るバランス錘を設けた釣り用浮きの環付き浮きの実施例を示す縦断面図である。
【図３】は
【図１】（ａ）の平面図である。
【図４】は
【図１】（ｂ）の平面図である。
【図５】は
【図２】（ａ）の平面図である。
【図６】は
【図２】（ｂ）の平面図である。
【符号の説明】
１浮力体
２貫通孔
３釣り糸挿通管
４下部錘
５上部錘
６釣り糸挿通環
【図１】
2004313160.tif 000003
【図２】
2004313160.tif 000004
【図３】
2004313160.tif 000005
【図４】
2004313160.tif 000006
【図５】
2004313160.tif 000007
【図６】
2004313160.tif 000008
(57)【要約】『課題』    朝、夕、夜のヤエン使用イカ釣りの場合の取り込み作業の確率を上げる『解決手段』ヤエンの軸の後方を延長して穴の空いた器具を取り付け市販のケミホタルを差し込んだ事で解決した【選択図】  図１
2004313152.tif 000002
【特許請求の範囲】
【請求項１】
イカ釣り用ヤエンにケミホタルを付ける
【発明の詳細な説明】
【０００１】
『発明の属する技術分野』
イカがアジを抱いた時にヤエンを投入するが主に朝まずめ夕まずめ又は夜に使用することが多いので見易くする為にウミホタルを付けた
【０００２】
『従来の技術』
ヤエン使用の釣りの場合イカが仕掛けに乗った場合ヤエンを投入するが、暗い為行方が分からない、勿論釣糸も見えないので電池で照らすことで取り込んでいたので失敗が多かったし、主に感に頼る事が多かったので確率が悪かった
【０００３】
『発明が解決しようとする課題』
そのために次の様な事を考えた
（イ）釣り糸の行方を知りたい
（ロ）ヤエンの動きを知りたい
（ハ）イカの行方を知りたい
（ニ）イカが手元に来た時の場所を知りたい
本発明はこれらの事を解決する為に考えられたものである
【０００４】
『課題を解決する為の手段』
ヤエンにケミホタルをつける為のものを付けて必要におおじて差し込む事にした
【０００５】
『発明の実施の形態』
イカ釣り用ヤエンの軸の後方を延長して穴のあいた器具を取り付けて市販のケミホタルを差し込んだ
【０００６】
『発明の効果』
本発明これによりヤエンを投入して、釣糸の方向、ヤエンの進み具合、イカの居場所、イカの寄り具合がすべて目で見る事ができた
【図面の簡単な説明】
【図１】本発明の正面図
【図２】本発明の斜視図
【図３】本発明の部分拡大展開図
【図１】
2004313152.tif 000003
【図２】
2004313152.tif 000004
【図３】
2004313152.tif 000005
(57)【要約】【課題】本発明は、イヌ科・イヌ属（以後、イヌと記載する）の健康増進に対して有用であるといわれている、コンドロイチン硫酸およびコラーゲンを多量に含有する軟骨で構成されるサメの骨格系から、イヌの食味嗜好を大幅に増進させる構造物を提供する。【解決手段】軟骨で構成されている中軸骨格（頭骨、脊椎骨）および付属骨格（ヒレの骨格など）によって構成されているサメの全骨格系に対して、乾燥処理を施して軟骨の乾燥構造物を製造すると、該構造物はイヌが好む乾燥軟骨特有の軽い歯応え、および匂いと食味を有するようになり、イヌの咀嚼本能と嗅覚を強く刺激して食味嗜好を増進させる。【特許請求の範囲】
【請求項１】
イヌ科・イヌ属（以後、イヌと記載する）の補助飼料であって、軟骨で構成される中軸骨格（頭骨、脊椎骨）および付属骨格（ヒレを構成する基底軟骨、輻射軟骨など）より構成されるサメの全骨格系に夫々乾燥処理を施して、乾燥後の水分を６０重量％から２重量％まで低下させた構造物。
【発明の詳細な説明】
【０００１】
【発明の属する技術分野】
本発明は天然材料をイヌの補助飼料としての利用に関する。詳述すれば、従来、低価値、あるいは無価値とされ、ほとんど廃棄されていた天然副産物を、栄養価が高く、薬理効果もあるイヌ用補助飼料あるいは嗜好品として価値の高い製品として提供することに関する。
【０００２】
【従来の技術】サメは従来、ヒレの構成物である角質鰭条部は中国料理用のフカヒレとして、肉は主として練製品の原料として、皮は皮革製品の原料として広く利用されてきた。しかし、骨格系については、近年、ようやくその一部分が健康食品や補助飼料、医薬品あるいは化粧品の原料として利用され始めているのが現状である。
【０００３】これをとくに健康補助食品としての利用について述べると、第１の利用方法は、脊椎骨を十分に乾燥させてから凍結粉砕法などによって粉末にし、主として動物の補助飼料として少量用いている。
【０００４】第２の利用方法は、前方法と同様にして脊椎骨に蛋白質分解反応処理等を施して、軟骨の構成成分であるコンドロイチン硫酸、コラーゲンなどを抽出・精製してから、粉体、粉体を固めた粒状あるいは液状の形態で、人間の健康補助食品や医薬品等に用いている。
【０００５】コンドロイチン硫酸、コラーゲンは、人間、家畜、愛玩用動物のいずれに対しても、骨の成長促進などの健康増進効果があり、さらに、骨粗鬆症防止、動脈硬化防止、解毒作用、消炎作用、制ガン作用など各種の薬理効果もあることが知られている。とくにイヌについては、関節炎の予防や治療に大きな効果があるといわれている。
【０００６】
【発明が解決しようとする課題】本発明の目的は、従来のイヌ用の補助飼料・嗜好食品と比較して、健康増進効果のあるサメの骨格系に対する食嗜好が大幅に増進される構造物を提供することにある。
【０００７】
【課題を解決するための手段】軟骨で構成される中軸骨格（頭骨、脊椎骨）および付属骨格から構成されるサメの全骨格系を、各部分に分割して夫々乾燥処理を施して、乾燥骨格系の水分を６０重量％から２重量％まで低下させる。
【０００８】該構造物はいずれの部分も、硬骨から成る他の動物の骨格系に比べて、咀嚼時に乾燥軟骨特有の軽い歯応えを有し、また咀嚼によって適度に砕けやすい。
【０００９】さらに、該構造物の食味は、旨味成分であるイノシン酸、タウリン、ベタイン等を微量含有するためにイヌの嗅覚刺激し、食嗜好を大幅に増進させる。
【００１０】このような本発明品の性状は、元来、本能的に骨の咀嚼を非常に好むイヌにとっては最適な摂食形態であり、これにより、イヌの健康増進に対して有用な、コンドロイチン、硫酸コラーゲンなどが多量に含有されるサメの骨格系への食嗜好が大幅に促進される。
【００１１】
【発明の実施の形態】本発明品に対するイヌの嗜好を確かめるために、品種、年齢、性別を変えた１０頭のイヌに対して嗜好性試験（ＰａｌａｔａｂｉｌｉｔｙＴｅｓｔ）を実施した。試験に供したイヌは、小型、中形および大型犬を含む以下の８品種・１０頭である。ミニチュア・ダックスフンド（雄・７才）、チワワ（雌・３才）、柴犬（雌・５才）、ゴールデン・リトリーバー（雌・２才）、ゴールデン・リトリーバー（雄・１０才）、コリー（雄・４才）、アイリッシュ・セッター（雌・８才）、アイリッシュ・セッター（雄・９才）、シベリアン・ハスキー（雄・６才）、秋田犬（雄・６才）。
【００１２】試験に使用した既存の補助飼料・嗜好品としては、、いずれも現在市販されている代表的なイヌ用の補助飼料・嗜好品である乾燥牛アキレス腱、乾燥豚足輪切、乾燥鶏肉、乾燥鳥軟骨、人工模擬骨、乾燥豚耳およびビーフ・ジャーキーの７種類である。
【００１３】これらの既存品と比較するために用いた本発明品として、以下の４種類の形態の構造物を使用した。一辺が約２ｃｍの正方形になるように切断した頭骨。直径が約、１．５ｃｍで、長さが約３ｃｍの脊椎骨２種類（脊椎骨の主体である椎体と呼ばれている部分だけで構成されている製造物、および脊椎骨全体（脊椎骨本体に神経弓門と血道弓門と呼ばれている付随物などが乾燥状態で固着されている構造物））、および長さが約１０ｃｍのヒレの骨格。
【００１４】嗜好試験の方法としては、いずれのイヌについても食後の満腹時に前述の４形態の本発明品と各市販品のうち１種類を同時にイヌの前に置き、どれに最初に食いつくかの選択状況を観察した。このような試験を１頭のイヌについて既存の補助飼料・嗜好品毎にそれぞれぞれ試験日を変えて７回行い、１０頭全てのイヌに対して合計７０回行った。
【００１５】また、既存の７種類の補助飼料・嗜好品と４形態の本発明品とを同時にイヌの前に置き、選択状況を観察する試験も１０頭の全てのイヌに対して行った。
【００１６】
【実施例】
本発明品に対するイヌの嗜好を確かめるために、品種、年齢、性別を変えた１０頭のイヌに対して実施した嗜好性試験（Ｐａｌａｔａｂｉｌｉｔｙ  Ｔｅｓｔ）の結果は以下の通りである。先ず、４形態の本発明品と各既存品のうち１種類を同時にイヌの前に置き、どれに最初に食いついて摂取するかを観察した結果では、１０頭全てのイヌが既存の市販品より本発明品の方を選択した。
【００１７】詳述すると、最も好むのは、脊椎骨本体に神経弓門と血道弓門と呼ばれている付随物が乾燥状態で固着した製造物であり、つぎに選択したのは脊椎骨の中心である椎体と呼ばれている部分だけで構成されている製造物であった。いずれにしても、イヌは脊椎骨を好む傾向が非常に強かった。
【００１８】
頭骨と付属骨格の嗜好の程度は、脊椎骨に比べてやや弱かったが、鶏軟骨、乾燥豚骨輪切および人工模擬骨への嗜好よりは上回った。
【００１９】次に、既存の７種類の補助飼料・嗜好品と本発明品とを同時にイヌの前に置き、選択状況を観察した試験においても、全てのイヌが本発明品、とくに脊椎骨を好む傾向が強かった。
【００２０】本発明品の次は鶏軟骨、乾燥豚骨輪切および人工模擬骨を選択する傾向が強いが、その嗜好の順序はイヌによって個体差があった。アキレス腱や乾燥豚耳のように咀嚼中に粘着性を示す物はあまり好まれなかった。
【００２１】
【発明の効果】以上から、本発明品は、サメの骨格系からイヌの食嗜好を大幅に増進させる構造物を提供することが分かる。
(57)【要約】【課題】食品として価値がなく捨てられている、ブロッコリーの茎を主原料にし商品価値のない型が不ぞろいのホーレン草、キャベツの外側の葉等を主体とし、乳製品等を加えて加熱、完成させたスープの基、ポタージュを提供する。【解決手段】ブロッコリーの茎・葉、ホーレン草の根を取った物、キャベツ、玉わぎ等を細かくきざみ、自然水（地域の名水）を加えさっとゆで、そのゆで汁ごとミキサーにかけ、液状になったら止め、その液状になった物に、カボチャのつぶした物、コーン、小粉麦、くだもの（ジュース等）、乳製品、香辛料、肉エキス、糖分、食塩、調味料（アミノ酸等）などを適量加え、加熱し食品として完成させた、スープの基（ホタージュ）を特徴とする。【特許請求の範囲】
【請求項１】
食品としては、ほとんどが捨てられている、ブロッコリーの茎を主体にし、そこに季節の緑の濃い野菜（ホーケン草・キャベツ等）を主原料としたものに、カボチャ・玉ねぎ・コーン・小粉粉・くだもの・乳製品・香辛料肉エキス・糖分・食塩・調味料（アミノ酸等）を加えて、加熱し、食品として完成されたポタージュ（スープの基）。
【発明の詳細な説明】
【０００１】
【発明の属する技術分野】
この発明は、ブロッコリーの茎や葉、ホーレン草、キャベツ・玉ねぎ・カボチャ等を細かく切り又はスライスして、自然水（名水）等を利用してゆで、汁ごとミキサー等にかけ砕き、なめらかな液体状にする。そこにコーン（マッシュ）、小麦粉・乳製品（牛乳・生クリーム等）、肉エキス、香辛料、糖分、食塩、リンゴ等のくだもの（ジュースでも良い）、調味料（アミノ酸等）などを適量加えて加熱（鍋又はそれに変わる物に入れた状態で）し、ポタージュとして完成させる事に関するものである。
【０００２】
【従来の技術】
従来、コーンポタージュ・カボチャポタージュ等があった。
【０００３】
【発明が解決しようとする課題】
これは次のような欠点があった。
（イ）  従来の物は葉酸の多い、緑の濃い野菜が使われていることがなかった。
（ロ）  ブロッコリーの茎や葉にはことに栄養価が高く有りながら、ほとんど捨てられ、利用される事がなかった。
【０００４】
【課題を解決するための手段】
今迄商品価値のないものとして捨てられていた、栄養価の高いブロッコリーの茎や葉、型が不ぞろいのホーケン草（畑に取りのこされている物）、生産過剰のキャベツ、売り物にならない様な玉ねぎ等々、農家の人達が汗水流して作った野菜を無駄にする事なく、又安価に購入出来、キャベツ等もゆでる事で栄養価が上がるというデータを基に、ゆで汁を全部利用する事で汁に出た栄養価ものがす事なく、ゆでる水も水道水でなく飲用に適した自然水を利用する事でくせのない味が出せ、従来の物より一層栄養価値を高めたポタージュである。又少しでも野菜農家を助けることが出来る。野菜は型のよいものでも、もちろん良い。
【０００５】
【発明の実施の形態】
以下、本発明の実施例について説明する。
（イ）  良く洗ったブロッコリーの茎を３ｍｍぐらいにうすく切る。葉も出来るだけ細かくきざむ（茎が主体で１００ｇ）
（ロ）  良く洗ったホーレン草の根の部分を切り取り５〜７ｃｍぐらいに切る（３０ｇ）
（ハ）  良く洗ったキャベツも適当に小さく切る。（３０ｇ）
（ニ）  玉ねぎもゆでやすい様にうすく切る、血液さらさら効果を出す為に、約２０分前に切っておく。（半分に切ったもの）（１つの半分利用）
（ホ）  カボチャもうすく切る（２０ｇ）
（ヘ）  鍋を用意し（イ）〜（ホ）までの材料を入れ、材料がひたひたにかくれる程度の自然水（上田市室賀のわき水）を入れ、火にかけ沸とうさせ煮る。
さっとゆで上げる。
（ト）  ゆで上った材料を汁ごとミキサーにかける。細かい粒状の液体になったらミキサーを止める。緑の濃いスープが出来ている
（チ）  （ト）で出来た液状スープを鍋等に入れ、コーン粉（１０ｇ）、小麦粉３ｇ牛乳３００ｃｃ、生クリーム３０ｃｃ、肉エキス少々（小サジ１）、砂糖小さじ１、食塩一つまみの半分、リンゴジュース５０ｃｃ、調味料（コンブ粉末小さじ１を加え火にかけ加熱し食する事が出来る様にポタージュを完成させた。
【０００６】
【発明の効果】
実施例の様に完成させたポタージュは、緑色が濃く、味はこくが有り、おいしく、試食していただいた７人全員が、皆おいしくおかわりがほしい程だと言ってくれた。又ポタージュの中にブロッコリーの茎が入っているのが解らなかった。この様に完成させたポタージュは、いろいろの身体に良い成分がまざり、従来のものより、葉酸が多くビタミン類も豊富に有る。又食品として利用される事がなく捨てられていたブロッコリーの茎や葉、型が不ぞろいの商品価値のないホーレン草、生産過剰等で廃棄されてしまう、キャベツや玉ねぎ等も利用する事で、農家の人達の苦労がむくわれるし、ポタージュ製造者も材料を安く仕入れる事で、消費者へ少しでも安く供給出来る利点が有る。老人、子供、朝いそがしく仕事に出かけていく人や、多忙な母親の為、又めんどうくさがりやの現代の若い人の健康保持の為に、簡単で、手軽に飲むなり、電子レンヂで暖めるなりして食する事が出来る。
(57)【要約】〔課題〕  この発明は花壇の縁どりを植木鉢にして縁にも草花を植える事ができ又縁を植木鉢にしたことにより花壇の設置、移動、取り除きを容易にしたものである。〔解決手段〕  密接して並設できるように垂直で上部の周縁の突起等のない隣接面を持つ植木鉢を作る。又花壇の角には栽植面が５角形や扇形のものを使用し組み合わせ、前面の模様をそろえて一続きの花壇の縁取りになることを特徴とする植木鉢である。【選択図】  図１
2004313162.tif 000002
【特許請求の範囲】
【請求項１】
密接して並設できるように垂直で上部の縁等の突起をなくした隣接面▲２▼を持ち、裁植面▲４▼が方形と５角形と扇形の植木鉢。
【請求項２】
栽植面が５角形の植木鉢は同形４ヶを密接並設すると正４角形に、もつ一つ５角形の植木鉢は同形６ヶを密接並設すると正６角形に、扇形の植木鉢は同形８ヶを密接並設すると円形になる。
【発明の詳細な説明】
【０００１】
〔発明の属する技術分野〕
この発明は花壇の縁どりを植木鉢にして縁にも草花を植える事ができ、又縁を植木鉢にしたことにより花壇の設置、移動、取り除きを容易にしたものである。
【０００２】
〔従来の技術〕
従来の花壇はレンガ、石組、ブロックをコンクリート等で固定されていた。従来の植木鉢は下窄まりの形になっていて、上部の外周縁が出ている。一部側面が垂直に近いものもあるが、カギ形に並べた場合密接しない。又側面と前面の模様がそろっていない。
【０００３】
〔発明が解決しようとする課題〕
そのために次のような欠点があった。
花壇が固定されているため、造り替えたいと思っても簡単に取り壊したり、移動ができない。又固定された花壇を造るのは高価であり素人には時間もかかり難しい。縁近くに植えた草花の色どりや成長具合で構成を変えたい時入れ替えで根を痛めることがある。賃貸住宅やマンションの１階の庭では固定した花壇を造ってはいけない場合がある。従来の植木鉢は側面が密接しないために並設すると隙間ができて間から土がこぼれ出てしまう。カギ形や円形に並べると正面と側面の模様がそろわないため美観を損ねる。
本発明はこれらの欠点を解決するためになされたものである。
【０００４】
〔課題を解決するための手段〕
組み合わせて花壇の縁どりに使うため、密接して並設できるように垂直で上部の周縁等の突起をなくした隣接面▲２▼を持つ植木鉢を作る。又植木鉢の栽植面は方形以外に５角形２種類、扇形を作り花壇の角の部分に使用する。植木鉢の前面の模様をそろえる。本発明は以上のような構成で密接して並設することにより花壇の縁どりとして使用する植木鉢である。
【０００５】
〔発明の実施の形態〕
以下、本発明の実施の形態について説明する。
材質は従来の植木鉢に使われているものを使用する。
植木鉢の側面の外側、隣接面を上部から下部まで突起のない垂直の面にする。これは並設した場合、密接させるためである。
外側隣接面以外には従来の植木鉢にあるような外周縁をつける。
これは強度と持ち運びがしやすいようにである。
同じ隣接面を持ち栽植面が方形、５角形２種類、扇形の植木鉢を作る。これは組み合わせて方形、６角形、円形の花壇を造るためである。底面は従来の植木鉢のように水を通す穴をあける。大きめの穴の方がよい。後面に穴をあけてもよい。並設した時前面の模様、外周縁はそろうようにつける。
本発明は以上のような構成でこれを使用する時は地面に本発明の植木鉢を方形や６角形、円形に組み合わせて密接して並設し土を入れ、内側の花壇にも土を入れて草花を植える。下部を少し埋め込んでもよい。これで本発明の植木鉢は花壇の縁どりとなり草花も植えることができる。
【０００６】
〔発明の効果〕
この植木鉢を地面に直接並設設置する事により花壇が容易に造れる。側面が垂直で突起がないので密接して並設できるため容器の隙間から内側の花壇の土がこぼれ出す心配がない。少し埋め込んで設置すればより安定する。花壇の縁にも草花を植えることができるので美しい花壇になる。花壇の縁の草花の必要以上の広がりを防ぐことができる。性質の違う土の場合でも並べて植えることができる。植木鉢ごと草花を入れ替えることができるので根を痛めない。
集合住宅の１階の庭や賃貸住宅の庭であっても花壇を造る事ができ、取り除いて後を元に戻すことが容易である。
木を取りかこんで設置し花壇にすれば木の保護にもなる。塀や家の壁を利用して花壇を造ることもできる。又屋上花壇にも利用できる。並設した内の１ヶが破損しても取り替える事が容易である。レンガやブロックと並設する事もできる。従来の花壇の内側に高さのあるもう１つの花壇を造る事ができる。排水をきちんと考えればコンクリートの上やベランダにも利用できる。
【図面の簡単な説明】
【図１】本発明の斜視図
【図２】本発明の斜視図
【図３】本発明の斜視図
【図４】本発明の栽植面５角形の植木鉢を４ヶ、隣接面を密接並設した時の平面図
【図５】本発明の栽植面５角形の植木鉢を６ヶ、隣接面を密接並設した時の平面図
【図６】本発明の栽植面扇形の植木鉢を８ヶ、隣接面を密接並設した時の平面図
【図７】本発明の実施例図
【図８】本発明の実施例図
【図９】本発明の実施例図
【図１０】本発明の実施例図
【符号の説明】
▲１▼正面
▲２▼隣接面
▲３▼外周縁
▲４▼栽植面
【図１】
2004313162.tif 000003
【図２】
2004313162.tif 000004
【図３】
2004313162.tif 000005
【図４】
2004313162.tif 000006
【図５】
2004313162.tif 000007
【図６】
2004313162.tif 000008
【図７】
2004313162.tif 000009
【図８】
2004313162.tif 000010
【図９】
2004313162.tif 000011
【図１０】
2004313162.tif 000012
(57)【要約】      （修正有）【課題】夜でも魚信タッチが手元で的確に確認出来て瞬時に装置脱着が出来る装置を提供する。【解決手段】竿クリップ６で竿をはさみ上部パネル７を被して道糸掛１にリールからの道糸を掛け、強い魚信があるか、又は竿をシャクリ上げても糸は装置からはずれ、リールを巻くと魚を釣り上げる事が出来る。夜間はライトクリップ９を回転させ、スポットを合せれば穂先が照射出来魚信が見える。なお、的確に照射出来るようにライトクリップ９を横方向にも広がるようにした。ライトクリップ９をクリップ状とすることで、ライトの脱着が可能となる。夜間はライト８を鈴方向に回転照射すれば音と共に鈴の動きがわかる。手元にライトを回転照射すれば手元が明るくなり作業が楽に出来る。バネ３にはケミホタルの装着も可能である。【選択図】図３
2004313163.tif 000002
【特許請求の範囲】
【請求項１】
穂先に当る魚信を補え是れを手元で感知して、効率良く的確に釣操作が出来る昼夜でも魚信の当りが、手元でタッチの出来る装置である。
【発明の詳細な説明】
私は釣が大好きて釣に良く行きます
昼間は明るい為に魚信は穂先の動き又は手応えでわかりますが夜は穂先の動きは見えません、発明の魚信タッチで大変に便理です、夜間も同様に、魚信タッチが手元で簡単にわかればと思い脱着が寸時にして簡単に出来る様な装置を発明しました。
図面１の実施仕掛図の様に竿にリールを取付け其の上部下の位置に先づ本発明の魚信タッチ装置を取り付けます。
先づ図面３の竿クリップ６で竿をはさみ、７の上部パネルを（２８０°）回転し被して道糸掛１にリールからの道糸を掛ける。次に２の道糸掛にかけリールを少し巻き３のバネが少し曲る位にして魚信をまつその場合曲り加減は５の軸で４のバネ曲調整を上下して調整する魚信があれば鈴１０が動き音もする、強い魚信ならば、又竿をシャクっても糸は装置からはづれリールを巻き魚を釣る事が出来る。夜間はライトクリップ９を回転（３６０°）穂先へライトの先部を回転しスポットを合せれば穂先が照射出来魚信が見える。尚この場合、的確に照射出来る様図４のライトクリプ９を横方向にも（２７０°）広がる様にした、又そのクリップでライトの脱着加能、夜間は８のライトを鈴方向に回転（３６０°）すれば鈴の動きと、音も聞き取れ魚信タッチがわかる、又手元にライトを回転（３６０°）照射すれば、手元が明るく作業が楽に出来る。尚鈴の下にケミホタルの装着も加能で、瞬時に装置脱着が出来る。
以上により昼夜でも魚信タッチが手元で確認出来る為、釣戦果抜郡確実である。本発明は以上の様な強い要望をまとめて簡単な方法で解決したのである。
【図面の簡単な説明】
【図１】本発明の実施例の仕掛図である
【図２】１／１本発明の平面図である
【図３】１／１本発明の左側面図である
【図４】１／１本発明の後面図である
【図５】１／１本発明の右側面図である
【符号の説明】
１は道糸掛              ２は道糸掛
３はバネ                ４はバネ曲調整
５は軸                  ６は竿クリップ
７は上部パネル          ８はライト
９はライトクリップ    １０は鈴
【図１】
2004313163.tif 000003
【図２】
2004313163.tif 000004
【図３】
2004313163.tif 000005
【図４】
2004313163.tif 000006
【図５】
2004313163.tif 000007
(57)【要約】【課題】ハリス仕掛けが、着脱時に、仕掛け収納器等に絡み、いざという時慌ててしまい、チャンスをのがしてしまう。それを防ぐような、仕掛け収納器つくるのが目的である。【解決手段】ハリス仕掛けの釣り針をかけるところを、可動式フックにしてハリスを引っ張るだけで、絡まないで外せるようにした。【選択図】  図１
2004313146.tif 000002
【特許請求の範囲】
【請求項１】
魚釣りハリス仕掛け収納器の釣り針をかける所を、可動式にした仕掛け巻き収納器。
【発明の詳細な説明】
【０００１】
【発明の属する技術】
この発明は仕掛け収納器の釣り針装着点を可動式にし、簡単また、スムーズにハリスの出し入れが出来る。
【０００２】
【従来の技術】
従来の仕掛け収納器は、仕掛けを巻く時また、取り外すときに時間がかかり、さらに仕舞時に針先が出ているため絡まりやすいので、いざという時に慌ててしまい、せっかくチャンスをのがしてしまう。
【０００３】
【発明が解決しようとする課題】
本発明は、その欠点をなくすため材質と形状に重点をおき、着脱時にハリス又は釣り針がからまないようにするのを課題として研究をすすめた。
【０００４】
【課題を解決するための手段】
ハリスの着脱時、特に脱のときいかに早くかつハリスが絡まないためには、釣り針の装着点を可動式にすることであ。
実験と理論の結果、釣り針装着点には可動式のフックを付け装着時には固定され、外すときは可動することが最上であることを発見した。
【０００５】
【発明実施の形態】
本発明は以上のような構成であるからハリスは、外す時仕掛け収納器に絡んだりせず、素早くできるのでいざという時効果を発揮でき、好釣果につながる。
【０００６】
【実施例】
本発明を実施するために、最初は一つづつ可動式フックを作成した。少量ではこの方法でもよい、しかし、これはコスト高につき、次は型をつくって製造すれば、コスト的にも低価格になるよう、各種の方法を実施している。
【０００７】
【発明の効果】
本発明は以上のような構成だから、いざという時仕掛け収納器からハリスを素早くとり外しができ、形状的にもハリスまた針が絡みにくく、竿納め時ハリスを素早く仕舞うことができ、また、この仕掛け巻はプラスチック材質なので、水で洗うこともできる。
【図面の簡単な説明】
【図１】本発明の断面図
【図２】釣り針装着点に可動式フックをつけた本発明の断面図
【符号の説明】（１）可動式釣  針フック  （２）可動方向
【図１】
2004313146.tif 000003
【図２】
2004313146.tif 000004
(57)【要約】【課題】ビニールハウスからも住宅の屋根の軒樋と同じように雨水を集水できる装置を提供する。【解決手段】ビニールハウスの覆いシート１１の上に降った雨を、ビニールハウスの構造パイプ１０に覆いシート１１の上から集水樋２の支持具１を固定し、そこに取り付けた集水樋２へ導水シート３を介して集水することにより、住宅の屋根の軒樋と同じように雨水を効率よく集水することを特徴とする装置である。【選択図】  図１
2004313142.tif 000002
【特許請求の範囲】
【請求項１】
パイプ構造のビニールハウスを構成する構造パイプ１０に、該ビニールハウスの覆いシート１１の上から、集水樋２の支持具１の構成部品である、前記構造パイプ１０をはさむ締め付け板１ｂ、締め付けネジ１ｃ及び、樋受け１ｄを、前記構造パイプ１０の複数に固定し、前記集水樋２を前記樋受け１ｄに設置し、前記覆いシート１１に導水シート３の導水シート上流部３ａを貼り合わせ、導水シート下流部３ｂを前記集水樋２の内側に接続して一体化させたビニールハウスの雨水集水装置。
【発明の詳細な説明】
【０００１】
【発明の属する技術分野】
本発明は、パイプ構造のビニールハウスからの集水樋を用いた雨水集水装置に関する。
【０００２】
【従来の技術】
一般的なパイプ構造のビニールハウスに降った雨水を、積極的に集水して利用するという方法は、まだ一般的ではない。新設のビニールハウス以上に、既設のビニールハウスにおいての雨水の集水については、より難しい。カマボコ型の屋根が２列以上並置されて形成されるビニールハウスにおいての樋については、特許３１３７７５６によって開示されている。又、ビニールハウスの両端に溝を掘り、雨水を集水する方法については、特開平１１−３２４０３０によって開示されている。
【０００３】
【発明が解決しようとする課題】
ビニールハウスからも、住宅の屋根と同じように雨水を集水して、農作物の潅水に利用したいという課題。
【０００４】
土地の有効利用のためにビニールハウスを移動したり、ビニールハウスの修繕のために覆いシートや、構造パイプを取替えたりする場合等に、雨水集水装置は設置、移動及び撤去が簡単にできる構造が必要となるといった課題。
【０００５】
【課題を解決するための手段】
以上の課題を達成するために、住宅の屋根の軒樋のようにビニールハウスに集水樋を設置した。すなわち、ビニールハウスの構造パイプに集水樋の支持具を取り付け、そこに集水樋を設置することで、降雨時の雨水を効率よく集水することができるようになった。
【０００６】
また、集水樋の支持具は、ビニールハウスの構造パイプを覆いシートの上からはさみ込むようにして固定し、そこに集水樋を設置し、又、移動、撤去する時は、支持具を緩めて取り外す。この方法により、簡単に着脱できるようになった。
【０００７】
【発明実施の形態】
図１、図２を説明すると、ビニールハウスの覆いシート１１の上に降った雨を、ビニールハウスの構造パイプ１０に覆いシート１１の上から集水樋２の支持具１を固定し、そこに取り付けた集水樋２へ、導水シート３を介して集水し、流出管４へ流出させる。
【０００８】
図３、図４を説明すると、集水樋２を取り付けるための支持具１を構造パイプ１０に覆いシート１１の上から締め付け固定するために構造パイプ１０をはさみ込むように設置し、その支持具１の両面から締め付けネジ１ｃの先端に締め付け板１ｂを配し、締め付けネジ１ｃを締め付けることによって支持具１を固定し、樋受け１ｄに集水樋２を設置することができる。
【０００９】
図５を説明すると、覆いシート１１に降った雨水を集水樋２の内側に流入させるために、導水シート３の上流部３ａを覆いシート１１に貼り合わせ、導水シート３の下流部３ｂは、集水樋２の内側に接続することにより雨水を集水樋２に集水することができる。
【００１０】
【発明の効果】
以上説明したビニールハウスの雨水集水装置により、表面積の大きなビニールハウスのため、降雨時に多量の雨水を集水することが可能になり、又、少雨の時も無駄なく集水することができるので、雨水を有効に活用できる。又、集水装置を簡単に着脱できるので、ビニールハウスの移動や修繕時にも対応できる。
新設のビニールハウスのみならず、既設のビニールハウスにも簡単に取り付けが可能なので、多くのビニールハウスで利用することにより、多量の雨水の有効利用ができる。
【図面の簡単な説明】
【図１】ビニールハウスに雨水集水装置を設置した外観図
【図２】ビニールハウスに雨水集水装置を設置した断面図
【図３】集水樋の支持具を設置した状態の側面図
【図４】集水樋の支持具を設置した状態の断面図
【図５】雨水を集水樋に集水する構造を示す側面図
【符号の説明】
１．    支持具
１ｂ．  締め付け板
１ｃ．  締め付けネジ
１ｄ．  樋受け
２．    集水樋
３．    導水シート
３ａ．  導水シート上流部
３ｂ．  導水シート下流部
４．    流出管
１０．  構造パイプ
１１．  覆いシート
【図１】
2004313142.tif 000003
【図２】
2004313142.tif 000004
【図３】
2004313142.tif 000005
【図４】
2004313142.tif 000006
【図５】
2004313142.tif 000007
(57)【要約】【課題】照明具を釣竿と一体化すること。【解決手段】竿本体の一部を照明部とし、電池を用いて発光体を点灯する電気回路が照明部に内蔵してあることを特徴とする釣竿。照明部をリール取付部よりも後側に設けてあることを特徴とする釣竿。【選択図】      図１
2004313092.tif 000002
【特許請求の範囲】
【請求項１】
竿本体（１）の一部を照明部（３）とし、電池（８）を用いて発光体（５）を点灯する電気回路が照明部（３）に内蔵してあることを特徴とする釣竿。
【請求項２】
照明部（３）をリール取付部（２）よりも後側に設けてあることを特徴とする釣竿。
【発明の詳細な説明】
【０００１】
【発明の属する技術分野】
本発明は、照明具が一体化した釣竿に関する。
【０００２】
【従来の技術】
夜釣りをする場合は、釣竿以外に懐中電灯を持っていくのが一般的である。そして、懐中電灯を暗闇で照らして餌付けや針交換を行っていた。しかし、懐中電灯は、餌付け等のとき以外は消して足下に置いておくので、踏みつけたり、蹴って海に落としたりする。また、懐中電灯は釣竿とは一体化しておらず、別の製品であるので、持っていくのを忘れたり、持ち帰るのを忘れたりする。
【０００３】
【発明が解決しようとする課題】
本発明は上記実情を考慮して創作されたもので、その目的は、照明具を釣竿と一体化することである。
【０００４】
【課題を解決するための手段】
請求項１の発明は、竿本体の一部を照明部とし、電池を用いて発光体を点灯する電気回路が照明部に内蔵してあることを特徴とする釣竿である。
【０００５】
竿本体は、リールを取り付けるタイプだけでなく、リールを取り付けないタイプもある。竿本体に対する照明部の位置は特に問わない。但し、リール取付部を有するタイプで、釣りの際にかかる力で竿本体が折れないようにするには、請求項２の発明のように、照明部をリール取付部よりも後側に設けてあることが望ましい。
【０００６】
【発明の実施の形態】
本発明の釣竿は、図１に示すように、竿本体１の長手方向に沿って糸通し用のガイド（図示省略）を間隔をおいて取り付け、竿本体１のリール取付部２の後側に照明部３を設けた一本状のものである。
【０００７】
竿本体１は、大まかに言えば、先端から後方に向かって徐々に又は段階的に径が太くなるガイド取付ロッドと、その後側のグリップとに分けられる。ガイド取付ロッドとグリップは、分離不能に連続している一体品であっても良いし、分離可能な別体品であっても良い。グリップは握り易いように径が殆ど均一にしてあり、リール取付部２よりも後側に離れた箇所に照明部３を連続している。リール取付部２と照明部３の間には、少なくとも一握り分の間隔をあけることによって、釣る際の力が照明部３に殆どかからないようにすることが望ましく、その結果、照明部３が折れないようになる。
【０００８】
照明部３は、筒状の透明体４と、電球に代表される発光体５の収容筒６と、発光体５を点灯及び消灯するスイッチ７と、電池８のケース９が、後方に向かって順番に連続して一本の筒状に形成された合成樹脂製品である。照明部３はその透明体４の先端部を、リール取付部２の後方に例えばねじ込むことによって取り付けられる。発光体５の交換を考慮して、透明体４と収容筒６は例えばねじ込みによって分離可能に一体化することが望ましい。同様に電池８の交換を考慮してケース９には蓋１０を取り付けてある。また、収容筒６から電池８のケース９の内部には、スイッチ７によって発光体５を点灯及び消灯する電気回路が収容されている。なお、符号１１は反射板であり、発光体５の光を透明体４側に反射することで、透明体４を通して外部に光を放射する。
【０００９】
スイッチ７は、回転式、往復式、ボタン式等色々考えられる。
【００１０】
電池８には乾電池のような一次電池だけでなく、バッテリーのような二次電池も含まれる。
【００１１】
本発明は上記実施形態に限定されない。例えば、竿本体１は、リール取付部２のないものであっても良いし、長さも太さも問わない。
【００１２】
【発明の効果】
本発明は、照明部が竿本体の一部となっているので、釣竿を持参すれば、懐中電灯がなくても、照明部を点灯すれば、周囲を明るく照らして餌付けや針交換を行える。なお、餌付けや針交換のときだけでなく、夜釣りの行き帰りの際に足下を照らす際に使用しても良い。また、釣竿を持ち帰れば、照明部のみを忘れるということが無くなる。さらに、釣りをするときは通常、釣竿を持っているので、従来のように足下に置くこともなく、踏みつけたり、蹴って海に落とすこともなくなる。また、照明部が竿本体の一部となっているので、見栄えも良いし、電気コードが付いてない（電池で発光体を点灯する）ので、釣竿に電気コードがからまるということもあり得ず、既存の釣竿と同様の操作感で釣ることができる。
【００１３】
魚がかかった際に竿本体はリール取付部よりも先側が大きくしなるので、照明部をリール取付部よりも後側に設けてあれば、折れにくくなる。
【図面の簡単な説明】
【図１】本発明の釣竿の要部を示す正面図である。
【符号の説明】
１  竿本体
２  リール取付部
３  照明部
５  発光体
８  電池
【図１】
2004313092.tif 000003
(57)【要約】【課題】本発明の課題は、手間をかけずにまた環境を汚染することなく除草を行ない、あるいは芝の徒長を防ぐことにある。【解決手段】竹繊維１３を５質量％以上含む除草マット１を提供する。該除草マット１中の竹繊維１３は雑草の発芽、生長を選択的に阻害し、また芝の徒長を抑制する。【選択図】  図１
2004313020.tif 000002
【特許請求の範囲】
【請求項１】
竹繊維を５質量％以上含むことを特徴とする除草マット
【発明の詳細な説明】
【０００１】
【発明の属する技術分野】
本発明は除草効果を有するマットに関するものである。
【０００２】
【従来の技術】
従来、例えばゴルフ場等において芝生に雑草が繁殖するのを防ぐには、選択性のある除草剤あるいは除草剤を含浸せしめたマットが使用されている（例えば特許文献１）。また芝の徒長を防ぐには芝刈りを行うかあるいは生長抑制剤を使用している。
【０００３】
除草剤や生長抑制剤は化学薬品であり、これらを使用すると地下水、雨水、河川水等に混入して重大な環境汚染をもたらすおそれがある。また芝の徒長を防ぐために芝刈りを行うことは、化学薬品を使用しないので環境汚染の問題はないが、人手を要し手間がかゝると云う問題点がある。
このような問題点を解決する手段として、植物性セルロース材料で構成された生分解性マット（例えば特許文献２）、網に綿を挟み込んだ三重構造のマット（特許文献３）、木屑、麦わら、稲わら等を接着剤で結着したマット（特許文献４）、不織布とビチューメン層とからなるマット（特許文献５）、ヤシ繊維マット（特許文献６）等が提供されている。
【０００４】
【特許文献１】
特開平１１−１０７２８７号公報
【特許文献２】
特開２００２−１１９１５４号公報
【特許文献３】
特開平９−９８６７４号公報
【特許文献４】
特開平６−２９６４０２号公報
【特許文献５】
特開平６−１４６２３０号公報
【特許文献６】
特開２０００−２１２９２８号公報
【０００５】
【発明が解決しようとする課題】
しかし生分解性マットや綿、木屑、麦わら、稲わら等からなる除草マットは除草効果や芝の徒長抑制効果が充分でなく、また短期に生分解あるいは崩壊するので効果の持続性もなく、またビチューメン層を使用するものは、芝自体の生長も阻害すると云う問題点がある。
【０００６】
【課題を解決するための手段】
本発明は上記従来の課題を解決するための手段として、竹繊維（１３）を５質量％以上含む除草マット（１，１１）を提供するものである。
【０００７】
【作用】
本発明の除草マット（１，１１）は竹繊維（１３）を５質量％以上含むから、雑草の発芽、生長に対して顕著な選択的阻害作用があり、また芝の徒長に対しても抑制作用がある。更に竹繊維（１３）は防腐性があるので生分解、崩壊等を起しにくゝ効果の持続性がある。またマットであるから地面になじみ易く、地面を略隙間なく被覆することが出来る。また本発明の除草マット（１，１１）は通気性、保水性、殺菌性があり、芝生（２）  等の基礎として使用した場合、芝の生長を阻害せずかつ芝の根や土壌が腐敗しにくゝなる。
【０００８】
【発明の実施の形態】
本発明を図１に示す一実施例によって説明すれば、図に示す除草マット（１）  は、竹繊維：麻繊維＝１：１の混合繊維をニードルパンチングによって絡合させることによって得られ、目付１ｋｇ／ｍ２  である。
この除草マット（１）  を図２に示すように例えばゴルフ場のグリーン、フェアウエイ、公園、道路の法面等の芝生（２）  の基礎として地面Ｇに敷いておき、その上に芝生（２）  を植生すると、雑草の発芽、生長を阻害し、芝の徒長は抑制されるから草取りや芝刈りの人手や手間が不要になる。また野菜の畑において、野菜の根の周りに敷いておいたり、野菜を栽培する土壌の下に埋設しておいても、同様に野菜の周りの雑草の繁殖が防止出来、野菜の生長に好影響がもたらされる。しかも該除草マット（１）  は有害な化学物質を含まないから、環境汚染の原因とはならない。
本発明の除草マット（１）  には竹繊維（１３）が少なくとも５質量％以上、望ましくは１０質量％以上含まれないと、上記除草効果や生長抑制効果が顕著に発揮されなくなる。
【０００９】
図３には本発明の他の実施例が示される。図に示す除草マット（１１）は、麻袋（１２）と、該麻袋（１２）内に充填されている竹繊維（１３）とからなる。竹繊維（１３）１００質量％の場合は、竹繊維（１３）の剛性のためにニードルパンチングによって絡合することが出来ない。しかしこのように袋に充填すれば、竹繊維（１３）１００質量％のマットにすることが出来る。該袋は麻袋（１２）以外ヤシ繊維、木綿、ナイロン等の繊維の編織物やネットの袋等通気性のある袋なら如何なるものでもよい。
【００１０】
【発明の効果】
本発明では芝生や野菜畑等の雑草の発芽や生長の阻害および芝の徒長の抑制を手間をかけることなく、また環境汚染することなく長時間持続して行うことが出来る。
【図面の簡単な説明】
【図１】本発明の一実施例の斜視図
【図２】芝生植生地の部分断面図
【図３】本発明の他の実施例の一部切欠き斜視図
【符号の説明】
１，１１      除草マット
１２        麻袋
１３        竹繊維
【図１】
2004313020.tif 000003
【図２】
2004313020.tif 000004
【図３】
2004313020.tif 000005